(57)【要約】アッセイのためにサンプルをインキュベートするためのシステムが提供される。特定の態様では、システムは、ロータリープラットフォーム，プラットフォームの周縁部に位置したサンプル容器，少なくとも第１及び第２動作部位を備えた複数の動作部位，プロセッサ，及び命令を備えたメモリーを備える。プロセッサによって実行されると、命令は、システムに、サンプル容器を第１動作部位から第２動作部位に移動させるためにロータリープラットフォームを回転させ、第１インキュベーション時間に基く測定のために第１動作部位のサンプル容器からサンプルの第１部分を抽出させ、そして第１インキュベーション時間より長い第２インキュベーション時間に基く測定のために第２動作部位のサンプル容器からサンプルの第２部分を抽出させる。例えば本開示のシステムを利用する方法などの、サンプルをインキュベートする方法も提供される。
2016530534.tif 000002
【特許請求の範囲】
【請求項１】
アッセイのためにサンプルをインキュベートするためのインキュベートシステムであって：
ロータリープラットフォーム;
前記プラットフォームの周縁部に位置するサンプルを備えるサンプル容器；
少なくとも第１及び第２動作部位を備える複数の動作部位；
プロセッサ;及び
前記プロセッサによって実行されると、前記システムに：
前記サンプル容器を前記第１動作部位から前記第２動作部位に移動させるために前記ロータリープラットフォームを回転させ；
第１インキュベーション時間に基く測定のために前記第１動作部位の前記サンプル容器から前記サンプルの第１部分を抽出させ；そして
前記第１インキュベーション時間より長い第２インキュベーション時間に基く測定のために前記第２動作部位の前記サンプル容器から前記サンプルの第２部分を抽出させる、命令を備えるメモリー
を備えるインキュベートシステム。
【請求項２】
前記複数の動作部位はサンプルを希釈する動作部位を備える、請求項１に記載のインキュベートシステム。
【請求項３】
前記システムは試料を希釈する前記動作部位に試料を希釈するための希釈装置を備える、請求項２に記載のインキュベートシステム。
【請求項４】
前記複数の動作部位は希釈サンプルを混合する動作部位を備える、請求項１から３のいずれか１項に記載のインキュベートシステム。
【請求項５】
希釈サンプルを混合する前記動作部位にサンプル容器内にあるサンプルを混合する混合装置を備える、請求項４に記載のインキュベートシステム。
【請求項６】
前記混合装置は、ロータリー撹拌機、振動型ミキサー、及びモーター駆動ミキサーからなる群から選択される、請求項５に記載のインキュベートシステム。
【請求項７】
前記複数の動作部位はサンプルをインキュベートする動作部位を備える、請求項１から６のいずれか１項に記載のインキュベートシステム。
【請求項８】
サンプルをインキュベートする前記動作部位は加熱装置を備えない、請求項７に記載のインキュベートシステム。
【請求項９】
サンプルをインキュベートする前記動作部位は加熱装置を備える、請求項７に記載のインキュベートシステム。
【請求項１０】
前記加熱装置は高温空気浴を備える、請求項９に記載のインキュベートシステム。
【請求項１１】
前記複数の動作部位は、サンプル容器を洗浄するための動作部位及びサンプル容器を乾燥するための動作部位を備える、請求項１から１０のいずれか１項に記載のインキュベートシステム。
【請求項１２】
前記命令は、前記プロセッサによって実行されると、前記システムに、所定の周期で前記複数の動作部位を介して前記サンプル容器を回転させる、請求項１から１１のいずれか１項に記載のインキュベートシステム。
【請求項１３】
前記ロータリープラットフォームの前記周縁部に位置し、前記ロータリープラットフォームの回転の中心軸の周りに互いに等間隔に配置された複数のサンプル容器を備える、請求項１から１２のいずれか１項に記載のインキュベートシステム。
【請求項１４】
前記ロータリープラットフォームの回転の中心軸の周りに、４５度ごとに配置された８個のサンプル容器を備え、前記命令は、前記プロセッサによって実行されると、前記システムに、所定の周期で前記ロータリープラットフォームを４５度回転させる、請求項１３に記載のインキュベートシステム。
【請求項１５】
前記命令は、前記プロセッサによって実行されると、前記システムに、１８秒または１８秒の倍数の所定の周期で前記ロータリープラットフォームを回転させる、請求項１４に記載のインキュベートシステム。
【請求項１６】
第１インキュベーション時間に基く測定のために前記第１動作部位の前記サンプル容器から前記サンプルの前記第１部分を抽出する抽出装置を備える、請求項１から１５のいずれか１項に記載のインキュベートシステム。
【請求項１７】
第２インキュベーション時間に基く測定のために前記第２動作部位の前記サンプル容器から前記サンプルの前記第２部分を抽出する抽出装置を備える、請求項１から１６のいずれか１項に記載のインキュベートシステム。
【請求項１８】
前記抽出装置は分注装置である、請求項１６または１７に記載のインキュベートシステム。
【請求項１９】
アッセイのためのサンプルのインキュベート方法であって：
複数の動作部位を介してサンプルを含むサンプル容器を移動させるためにロータリープラットフォームを回転させることであって、前記サンプル容器は前記プラットフォームの周縁部に位置しており、前記複数の動作部位は第１動作部位と第２動作部位を備える、回転させること；
第１インキュベーション時間に基く測定のために前記第１動作部位の前記サンプル容器から前記サンプルの前記第１部分を抽出すること；及び
前記第１インキュベーション時間より長い第２インキュベーション時間に基く測定のために前記第２動作部位の前記サンプル容器から前記サンプルの第２部分を抽出すること、
を含む方法。
【請求項２０】
前記複数の動作部位はサンプルを希釈するための動作部位を備え、当該方法はサンプルを希釈するために前記動作部位でサンプルを希釈することを含む、請求項１９に記載の方法。
【請求項２１】
前記複数の動作部位はサンプルを混合するための動作部位を備え、当該方法はサンプルを混合するために前記動作部位でサンプルを混合することを含む、請求項１９または２０に記載の方法。
【請求項２２】
前記混合はロータリー撹拌機、振動型ミキサー、及びモーター駆動ミキサーからなる群から選択される混合装置によって行われる、請求項２１に記載の方法。
【請求項２３】
前記複数の動作部位はサンプルをインキュベートするための動作部位を備える、請求項１９から２２のいずれか１項に記載の方法。
【請求項２４】
サンプルをインキュベートする前記動作部位は加熱装置を備えない、請求項２３に記載の方法。
【請求項２５】
サンプルをインキュベートする前記動作部位は加熱装置を備える、請求項２３に記載の方法。
【請求項２６】
前記加熱装置は高温空気浴である、請求項２５に記載の方法。
【請求項２７】
前記複数の動作部位は、サンプル容器を洗浄するための動作部位を備え、当該方法はサンプル容器を洗浄するための前記動作部位でサンプル容器を洗浄すること含む、請求項１９から２６のいずれか１項に記載の方法。
【請求項２８】
前記複数の動作部位は、サンプル容器を乾燥するための動作部位を備え、当該方法はサンプル容器を乾燥するための前記動作部位でサンプル容器を乾燥すること含む、請求項１９から２７のいずれか１項に記載の方法。
【請求項２９】
前記回転は、所定の周期で前記複数の動作部位を介して前記サンプル容器を移動させるために前記ロータリープラットフォームを回転させることを含む、請求項１９から２８のいずれか１項に記載の方法。
【請求項３０】
前記ロータリープラットフォームは、前記ロータリープラットフォームの前記周縁部に位置し、前記ロータリープラットフォームの回転の中心軸の周りに互いに等間隔に配置された複数のサンプル容器を備え、前記回転は、所定の周期で前記複数の動作部位を介して前記複数のサンプル容器を移動させるために前記ロータリープラットフォームを回転させることを含む、請求項１９から２９のいずれか１項に記載の方法。
【請求項３１】
前記ロータリープラットフォームの回転の中心軸の周りに４５度毎に配置された８個のサンプル容器を所定の周期で８個の動作部位を介して移動させるために、前記ロータリープラットフォームを所定の周期で４５度回転させることを含む、請求項３０に記載の方法。
【請求項３２】
前記所定の周期は１８秒または１８秒の倍数である、請求項３１に記載の方法。
【発明の詳細な説明】
【技術分野】
【０００１】
相互参照
本出願は、２０１３年９月９日出願の米国仮特許出願Ｎｏ.６１／８７５，４１７の利益を主張するものであり、該出願はその全体が参照により本明細書に組込まれる。
【０００２】
概要
アッセイのためにサンプルをインキュベートするためのシステムが提供される。特定の態様では、システムは、ロータリープラットフォーム，プラットフォームの周縁部に位置したサンプル容器，少なくとも第１及び第２動作部位を備えた複数の動作部位，プロセッサ，及び命令を備えたメモリーを備える。プロセッサによって実行されると、命令は、システムに、サンプル容器を第１動作部位から第２動作部位に移動させるためにロータリープラットフォームを回転させ、第１インキュベーション時間に基く測定のために第１動作部位のサンプル容器からサンプルの第１部分を抽出させ、そして第１インキュベーション時間より長い第２インキュベーション時間に基く測定のために第２動作部位のサンプル容器からサンプルの第２部分を抽出させる。例えば本開示のシステムを利用する方法などの、サンプルをインキュベートする方法も提供される。
【図面の簡単な説明】
【０００３】
本明細書に組込まれる添付図面は、明細書の一部を形成する。この記載とともに、図面は、さらに、本開示のシステムと方法の原理を説明し、当業者がそれらを作成して使用するのを可能にするのに役立つ。図面において、同様の参照番号は同一または機能的に類似の要素を示す。
【図１】図１は、一実施形態に係る、血液学アッセイのためにサンプルをインキュベートするための１−希釈インキュベートシステムを示す；
【図２】図２は、単一の光学ベンチによって実行され得る２つのアッセイにおける例示的な方法の時間図を示す；
【図３】図３は、一実施形態に係る、図1に記載したインキュベーションシステムを備える例示的なシステムの図を示す；
【図４】図４は、一実施形態に係る、図1に記載したインキュベーションシステムを備える例示的なシステムのブロック図を示す；
【図５】図５は、追加の測定のための追加のサンプリング容器とともに、図1に記載したロータリープラットフォームを備えたシステムを示す；
【図６】図６は、特定の実施形態に係る、１−希釈インキュベートシステムを示す；
【図７】図７は、特定の実施形態に係る、３−希釈インキュベートシステムを示す；
【図８】図８は、特定の実施形態に係る、図７のインキュベートシステムを示す；そして
【図９】図９は、一実施形態に係る、図1の例示的なデータ処理装置４０５のブロック図を示す．
【０００４】
詳細な説明
アッセイのためにサンプルをインキュベートするためのシステムが提供される。特定の態様では、システムは、ロータリープラットフォーム，プラットフォームの周縁部に位置したサンプル容器，少なくとも第１及び第２動作部位を備えた複数の動作部位，プロセッサ，及び命令を備えたメモリーを備える。プロセッサによって実行されると、命令は、システムに、サンプル容器を第１動作部位から第２動作部位に移動させるためにロータリープラットフォームを回転させ、第１インキュベーション時間に基く測定のために第１動作部位のサンプル容器からサンプルの第１部分を抽出させ、そして第１インキュベーション時間より長い第２インキュベーション時間に基く測定のために第２動作部位のサンプル容器からサンプルの第２部分を抽出させる。例えば本開示のシステムを利用する方法などの、サンプルをインキュベートする方法も提供される。
【０００５】
本開示のシステム及び方法がより詳細に記載される前に、そのシステム及び方法は、もちろん変化し得るものであるので、記載される特定の実施形態に限定されないことが理解されるべきである。本明細書で使用される用語は特定の実施形態のみを記載する目的のためのものあり、該システムおよび方法の範囲は添付の特許請求の範囲によってのみ限定されるので、限定することを意図するものではないことも理解されるべきである。
【０００６】
ある範囲の値が提供される場合、それぞれの介在値は、その範囲及びその記載された範囲の任意の他の記載されたまたは介在する値の上限と下限の間で、文脈が別途明確に指定しなければ下限の単位の１０分の１まで、当該システム及び方法に包含されることが理解される。これらのより小さい範囲の上限および下限は、独立してより小さい範囲に含まれてもよく、記載された範囲における任意の具体的に除外される限界を条件として、当該システム及び方法にも包含される。記載された範囲が、限界の１つまたは両方を含む場合、これらの含まれる範囲どちらかまたは両方を除外する範囲も、当該システム及び方法に含まれる。
【０００７】
特定の範囲は、用語「約」が先行する数値によって本明細書に表される。用語「約」は、その用語が先行する数に近いまたは近似している数だけでなく、それが先行する正確な数への字義通りのサポートを与えるために使用される。ある数が具体的に記載された数に近いかまたは近似しているかどうかを決定する際に、近いかまたは近似している記載されていない数は、それが表される文脈において、具体的に記載された数の実質的等価物を提供し得る。
【０００８】
別途定義されなければ、本明細書で使用される全ての技術的及び科学的用語は、当該システム及び方法が属する技術分野における当業者によって一般に理解されるのと同じ意味を有する。本明細書に記載のものと同様のまたは等価の任意のシステム及び方法及び材料は、当該システム及び方法の実施または試験にも使用することができるが、代表的な例示的方法および材料はここに記載される。
【０００９】
本明細書及び添付特許請求の範囲で使用される場合、単数形「ａ」，「ａｎ」，「ｔｈｅ」は、文脈が別途明確に指示しなければ、複数の対象を含む。さらに、特許請求の範囲は任意の選択的要素を除外するように起草され得ることが留意される。従って、本記述は、特許請求の範囲の記載に関連した「単に」，「のみ」他の除外的用語の使用、または「否定的」限界の使用に対する先行的基準を与えるよう意図されている。
【００１０】
明確にするために、別個の実施形態の文脈で説明される当該システム及び方法は、単一の実施形態において組合せて提供され得ることも認識される。逆に、簡略化のために、単一の実施形態の文脈で説明される当該システム及び方法は、別個にまたは任意の適切な副組合せで提供されてもよい。実施形態のすべての組合せは、そのような組合せが、動作可能なプロセス及び／またはデバイス／システム／キットを包含する程度に、本開示によって具体的に包含され、それぞれの及びすべての組合せがまさに開示されいているかのように、本明細書で開示される。さらに、このような変数を記載する実施形態に記載されるすべての副組合せも当該システム及び方法によって具体的に包含され、化学基のそれぞれの及びすべての副組合せが個々に及び明確に本明細書にまさに開示されるかのように、本明細書に開示される。
【００１１】
本開示を読めば当業者には明らかであろうが、本明細書に記載され例示される個々の実施形態のそれぞれは、本システム及び方法の範囲または精神から逸脱することなく、任意の他のいくつかの実施形態から容易に分離または組合せることができる個別のコンポーネントおよび機能を有する。任意の記載の方法は、記載された事象の順序で、または論理的に可能な任意の他の順序で実施することができる。
【００１２】
システム
本開示の態様には、アッセイのためにサンプルをインキュベートするためのシステムが含まれる。特定の実施形態によると、システムは、ロータリープラットフォーム，プラットフォームの周縁部に位置したサンプル容器，少なくとも第１及び第２動作部位を備えた複数の動作部位，プロセッサ，及び命令を備えたメモリーを備える。プロセッサによって実行されると、命令は、システムに、サンプル容器を第１動作部位から第２動作部位に移動させるためにロータリープラットフォームを回転させ、第１インキュベーション時間に基く測定のために第１動作部位のサンプル容器からサンプルの第１部分を抽出させ、そして第２インキュベーション時間に基く測定のために第２動作部位のサンプル容器からサンプルの第２部分を抽出させる。第２インキュベーション時間は、第１インキュベーション時間より長い。
【００１３】
本開示のシステムは、それを介してサンプル容器（例えば、チューブ，バイアル（例えば，希釈バイアル），キュベット，混合カップ，または任意の他の対象のサンプル容器）が移動する、１つまたは複数の動作部位（例えば、複数の動作部位）を備える。対象の動作部位は、サンプルをサンプル容器に提供する動作部位，サンプル（例えば、血液学サンプル）を希釈する動作部位，希釈サンプルを混合する動作部位，サンプルをインキュベートする動作部位，サンプル容器を洗浄する動作部位，サンプル容器を乾燥する動作部位，アッセイを実行するのに有用な任意の他の動作部位，またはこのような動作部位の任意の組合せ、を備えるが、これらに限定されない。
【００１４】
動作部位では、対象のアプリケーション／アッセイに応じて、様々な動作を行うことができる。特定の態様では、本開示のシステムは、すでに対象のサンプルを備えるサンプル容器をロータリープラットフォーム上に配置する動作部位を備える。あるいは、またはさらに、そのシステムは、ロータリープラットフォーム上に既に存在する空のサンプル容器（例えば、新しいサンプル容器または洗浄され及び／または乾燥されている以前に使用されたサンプル容器）にサンプルを送達する動作部位を備えてもよい。特定の実施形態によると、インキュベーションシステムは、サンプル容器内にサンプルを提供するために、対応する動作部位に作動可能に配置された送達装置を備える。サンプル送達装置の例には、プローブ、分注器、またはサンプル容器にサンプルを送達するのに適した任意の他の装置が含まれるが、これらに限定されない。送達装置は、サンプル源（例えば、主要なサンプルバイアル、試験管、または他の容器）からある量のサンプルを得ることができる。
【００１５】
本開示のシステムは、サンプル（例えば、血液学サンプル）を希釈する動作部位を備えることができる。サンプルを希釈する動作部位は、サンプルをサンプル容器に提供する動作部位と同じであるか、または異なっていてもよい。すなわち、サンプルは、同じ動作部位または異なる動作部位で、サンプル容器に提供され、希釈されてもよい。サンプルを希釈する動作部位は、その動作部位でサンプルを希釈するための希釈装置（例えば、プローブ、分注器など）を備えることができる。サンプルは、対象となる特定のアッセイに適した希釈剤を用いて希釈することができる。希釈剤は、緩衝剤（例えば、リン酸塩または他の適切な緩衝剤），塩，界面活性剤，染料（例えば、例えば、蛍光染料，細胞膜透過性及び核酸結合蛍光染料），抗微生物剤，溶解試薬，対象のアッセイのために有用な任意の他の希釈剤成分，またはそれらの任意の組み合わせ、を含んでもよい。
【００１６】
特定の実施形態によると、本開示のシステムは、サンプル容器中でサンプル（例えば、希釈剤が添加されているサンプル）を混合する動作部位を備える。特定の態様では、システムは、サンプルを混合するために動作部位でサンプルを混合する混合装置を備えてもよい。混合装置の例としては、ロータリー撹拌機、振動型ミキサー（例えば、圧電振動子、など）、または、例えば、ロータリーパドルミキサー、「上下」動パドルミキサーのいずれか、または、例えばそれらの組合せである、パドルミキサーなどのモーター駆動ミキサー、が含まれるが、これらに限定されない。
【００１７】
本開示のシステムは、サンプル容器でサンプルをインキュベートするための１つまたは複数の（例えば、１，２，３，またはそれ以上）の動作部位を備えることができる。サンプルをインキュベートするためのその１つまたは複数の動作部位は、システム中で１つまたは複数の他の動作部位と重複してもよい。例えば、サンプルをインキュベートするための動作部位は、サンプルを希釈する、サンプルを混合する、サンプルの一部を抽出するなどのための動作部位であってもよい。特定の態様では、サンプルをインキュベートするための１つまたは複数の動作部位は、加熱装置を備えない。他の態様では、サンプルをインキュベートするための１つまたは複数の動作部位は、例えば、対象のインキュベーション及び／またはアッセイ温度に加熱するための加熱装置を備える。任意の適切な加熱装置には、高温空気浴，水浴，ヒートブロック，サンプルを加熱するためにサンプル容器に十分近接して位置される加熱要素、を用いることができるが、これらに限定されない。特定の態様では、加熱装置は、例えば、ロータリープラットフォームの下方、ロータリープラットフォームの上方、またはそれら両方に配置された高温空気浴を備える。
【００１８】
本開示のシステムは、対象の１つまたは複数のアッセイ（例えば、対象の１つまたは複数の血液学アッセイ）で使用するためにサンプル容器からサンプルのすべてまたは一部を抽出するための１つまたは複数（例えば、１つ，２つ，３つ，またはそれ以上）の動作ステーションを備えてもよい。このような動作ステーションは、例えば、フローサイトメーターまたはサンプルに対象のアッセイを行うことが可能な他のシステムなどの、サンプルのすべてまたは一部を除去してアッセイ容器（例えば、キュベット、試験管、他）に、またはアッセイシステムに直接移送するための分注装置または吸引プローブなどの、サンプル抽出装置を備え得る。特定の態様では、システムは、第１インキュベーション時間に基づく測定のために第１動作部位でサンプル容器からサンプルの第１部分を抽出するための抽出装置を備える。このようなシステムは、さらに、第２インキュベーション時間に基づく測定のために第２動作部位でサンプル容器からサンプルの第２部分を抽出するための抽出装置を備える。サンプル容器からサンプルの第１及び第２部分を抽出するのに、同じ抽出装置を使用してもよいし、異なる抽出装置を使用してもよい。
【００１９】
上記のように、本開示のシステムは、サンプル容器を洗浄するための動作部位を備えることができる。サンプル容器を洗浄するための動作部位が、例えば、その中のサンプルがもはや必要でないときにサンプル容器を洗浄するために、対象システムに備えられてもよい。例えば、対象の１つまたは複数のアッセイを実施するための十分なインキュベーション期間の後に、サンプルの１つまたは複数の部分がサンプル容器からすでに除去されている場合、サンプルはもはや必要でないであろう。サンプル容器を洗浄するための動作ステーションは、サンプル容器中に流体をスプレーするかまたは別途吐出してサンプル容器を洗浄する洗浄器などの、洗浄装置を備えることができる。特定の態様では、洗浄液には、消毒剤，殺菌剤，洗浄剤，またはそれらの任意の組合せが含まれる。
【００２０】
本開示のシステムは、例えば、サンプル容器が洗浄された後に、サンプル容器を乾燥するための動作部位を備え得る。このような動作部位は、サンプル容器を乾燥するためにサンプル容器に空気（例えば、高温空気）を吹き付けることができる装置などの乾燥装置を備え得る。特定の実施形態では、システムがサンプル容器を洗浄するための動作ステーションとサンプル容器を乾燥するための動作ステーションとを備える場合、その動作ステーションは、単一の装置に組合せた洗浄装置と乾燥装置を有する単一の動作ステーションであり得る。
【００２１】
本明細書に記載の任意の動作は、単一の動作部位内で行われてもよいし、２つ以上の動作部位で分離して行われてもよい。
【００２２】
特定の実施形態によると、本開示のシステムは、プロセッサによって実行されると、システムに、所定の周期で複数の動作部位を介してサンプル容器を回転させる命令を備える。例えば、サンプル容器（例えば、サンプルを備える）は、１つの動作部位から次の動作部位に、所定の周期で、例えば、１８〜２０秒毎に、順次回転してもよい。
【００２３】
特定の態様では、本開示のインキュベートシステムは、ロータリープラットフォームの周縁部に位置され、ロータリープラットフォームの回転の中心軸の周りに互いに約等間隔に配置された複数のサンプル容器を備える。「等間隔に配置」または「約等間隔に配置」とは、ロータリープラットフォームの周縁に沿う任意の２つの隣接するサンプル容器間の最短距離が、ロータリープラットフォームの周縁に沿う任意の２つの隣接するサンプル容器間の最大距離の８０％以上（例えば、９０％以上、９５％以上、または９９％以上）であることを意味する。本明細書で使用される場合、サンプル容器の中心が、プラットフォームの中心とプラットフォームの周（すなわち「外側」）縁の間の距離に対してのロータリープラットフォームの周（すなわち「外側」）の半分以内に配置されている場合、サンプル容器はロータリープラットフォームの「周縁部に配置されて」いる。例えば、ロータリープラットフォームが円形で、３０ｃｍの半径を有する場合、サンプル容器の中心がサンプル容器の縁から１５ｃｍ以内であれば、サンプル容器はプラットフォームの周縁部に位置している。
【００２４】
動作部位及び／またはサンプル容器の数は変り得る。例えば、システムは、１〜２０個の動作部位、例えば、１，２，３，４，５，６，７，８，９，１０，１１，１２，１３，１４，１５，１６，１７，１８，１９または２０個の動作部位、を備え得る。ロータリープラットフォーム上に存在するサンプル容器の数は、任意の時点で、動作部位の数より少ないか、と同じか、またはより多くてもよい。特定の態様では、サンプル容器の数は１〜２０個のサンプル容器であり、例えば、任意の特定の時点でロータリープラットフォーム上に存在する１，２，３，４，５，６，７，８，９，１０，１１，１２，１３，１４，１５，１６，１７，１８，１９または２０個のサンプル容器である。さらに、所定のタイミング間隔は変り得る。例えば、一実施形態では、ロータリープラットフォームは、８個の動作部位を介して４５度回転する８個のサンプル容器を備える。他の実施形態では、ロータリープラットフォームは、ロータリープラットフォーム上の合計１６個のサンプル容器に関し、４５度毎に配置されるが、他の８個のサンプル容器からはオフセットしているさらに８個のサンプル容器を備える。さらに他の実施形態では、ロータリープラットフォームは、異なる動作ステーション（例えば、４個の異なる動作ステーション）に９０度毎に回転する４個のサンプル容器を備える。
【００２５】
、
特定の実施形態では、複数のサンプル容器が単一の動作部位で存在する。例えば、ロータリープラットフォームは、二重、三重または四重などのサンプル容器をそれぞれの動作部位を介して回転させ得る（例えば、４個の動作部位間で９０度回転する三重のサンプル容器）。いくつかの例では、三重希釈システムは、それぞれの動作部位で３つのサンプルについて動作を行うことができる。他のセットのサンプル容器は、他の実施形態で実施され得る−例えば、２個，４個，５個などのセット。さらに、他の数の動作部位が実施され得る−例えば、２個，３個，５個，６個などのセット。
【００２６】
特定の実施形態では、本開示のインキュベーションシステムは、ロータリープラットフォームの回転の中心軸のまわりに約４５度毎に配置された８個のサンプル容器を備える。これらの実施形態によると、プロセッサによって実行されると、命令は、システムに、所定の周期でロータリープラットフォームを４５度回転させることができる。所定の周期は、任意の適切な周期であることができ、約１５，１６，１７，１８，１９，２０，２１，２２秒またはそれらの倍数（例えば、１８秒または１８秒の倍数）を含むことができるが、これらに限定されない。
【００２７】
上記のように、回転間の所定の時間間隔の長さは変り得る。一実施形態では、例えば８個のサンプル容器が動作部位間で１８秒毎に回転させることができる。例えば、サンプル容器は、３６秒，５４秒，７２秒，９０秒，などの、１８秒の倍数の時間間隔で回転させることができる。他のタイミング間隔値も実施することができる。所定のタイミング間隔は、測定のために、様々なインキュベーション時間を提供するように調整することができる。測定のための動作部位の場所は、所望のインキュベーション時間を与えるように異なる実施形態で変り得る−例えば、第３動作部位では３６秒インキュベーション時間を与え、第４動作部位では５４秒インキュベーション時間を与える、など。
【００２８】
本開示のシステムは、例えば、研究及び／または臨床アプリケーションなどの広範なアプリケーションで使用することができる。該システムは、対象の任意のアッセイのためにサンプルをインキュベートすることに用途を見出す。例えば、該システムは、ＤＮＡ、タンパク質、細胞（例えば、ＣＤ６１＋，ＣＤ３＋，ＣＤ４＋及び／またはＣＤ８＋細胞）を含む生物学的材料、及び／または、アルカリホスファターゼ，ビリルビン，二酸化炭素，クレアチニン，γ−グルタミルトランスフェラーゼ（ＧＧＴ），窒素尿素，アルブミンＢＣＧ，アルブミンＢＣＰ，ＡＬＴ，活性化ＡＬＴ，アミラーゼ，ＡＳＴ，活性化ＡＳＴ，カルシウム，塩化物コレステロール，ＣＫ，直接ビリルビン，直接ＬＤＬ，グルコース，ＨＤＬ，鉄，ＬＤＨ，リチウム，マグネシウム，リン，カリウム，ナトリウム，総タンパク質，トリグリセリド，尿酸，またはそれらの任意の組み合わせなどの臨床的に関連する分析物、をアッセイする（例えば、検出及び／または定量する）ためにサンプルをインキュベートすることに用途を見出す。
【００２９】
特定の態様では、インキュベーションシステムは、血液学アッセイのために血液学サンプルをインキュベートするのに使用される。例えば、システムは、血液分析器であり得る。血液サンプルは、１つまたは複数の測定が行われる前に、希釈され、インキュベートされ得る。測定は、光ディテクタ（例えば、フローサイトメトリー）、測光ディテクタ、インピーダンスディテクタなどによって行うことができる。例示的な測定には、血液サンプル中の粒子、細胞、またはそれらの組合せの、同定、分化、及び／または計数が含まれるが、これらに限定されない。例えば、特定の実施形態では、サンプルは、赤血球（ＲＢＣ）、白血球（ＷＢＣ）、血小板（ＰＬＣ）、有核赤血球（ＮＲＢＣ）及び／またはヘモグロビン（Ｈｂ）を含むことができ、そして、インキュベーションシステムは、サンプルをインキュベートし、並びに／または、定性的及び／もしくは定量的なＲＢＣ,ＷＢＣ，ＰＬＣ，ＮＲＢＣ及び／もしくはＨｂアッセイ、を行うように構成され得る。
【００３０】
異なる測定は、異なるインキュベーション時間を必要とし得る。例えば、ＲＢＣ及びＷＢＣアッセイのためのインキュベーション時間（例えば、３０秒）は、ｒｅｔｉｃまたはｒｅｔｉｃｕｌｏｃｙｔｅ（ＲＥＴ）網状赤血球アッセイに必要なインキュベーション時間（例えば、９０秒）より短くてよい。特定の例では、例えば、同じ希釈サンプル中のＲＢＣとＷＢＣは、例えば、４０℃で９０分間インキュベートされると形状と体積を変え得るので、ＲＢＣ及びＷＢＣ測定は、約３０−４０秒以内に行う必要があるであろう。さらに、いくつかの例では、サンプルは、測定を行う前に加熱または混合する必要があるであろう。他の動作も、測定が行われる前または後のいずれかで実施され得る。
方法
【００３１】
本開示によって、アッセイ（例えば、血液学アッセイ）のためにサンプルをインキュベートする方法も提供される。該方法は複数の動作部位を介してサンプルを含むサンプル容器を移動させるためにロータリープラットフォームを回転させることを含み、ここでサンプル容器はプラットフォームの周縁部に位置しており、複数の動作部位は第１動作部位と第２動作部位を備える。該方法は、第１インキュベーション時間に基く測定のために第１動作部位のサンプル容器からサンプルの第１部分を抽出すること、及び、第１インキュベーション時間より長い第２インキュベーション時間に基く測定のために、第２動作部位のサンプル容器からサンプルの第２部分を抽出すること、も含む。
【００３２】
特定の態様では、本開示の方法は、「システム」と題された、前のセクションに記載された任意の実施形態に係るシステムを使用して実施される。該方法のステップは、例えば、動作部位のタイプと数，動作部位に関連した装置，サンプル容器構成，１つまたは複数のサンプル容器を回転させる所定の周期，などの、上記の任意の特徴を有するシステムを使用して実施することができる。
【００３３】
対象の方法の特定の実施形態によると、複数の動作部位はサンプル（例えば、血液学サンプル）を希釈する動作部位を備え、ここで該方法は、サンプルを希釈するために動作部位でサンプルを希釈することを含む。サンプルを希釈することは、対象の特定のアッセイに適した希釈剤を使用することを含み得る。希釈剤は、緩衝剤（例えば、リン酸塩または他の適切な緩衝剤），塩，界面活性剤，染料（例えば、例えば、蛍光染料，細胞膜透過性及び核酸結合蛍光染料），抗微生物剤，溶解試薬，対象のアッセイのために有用な任意の他の希釈剤成分，またはそれらの任意の組み合わせ、を含んでもよい。
【００３４】
特定の態様では、複数の動作部位は希釈サンプルを混合するための動作部位を備え、ここで該方法は、希釈サンプルを混合するために動作部位で希釈サンプルを混合することを含む。混合は、例えば、ロータリー撹拌機，振動型ミキサー（例えば、圧電振動子、など）、例えば、ロータリーパドルミキサー，「上下」動パドルミキサーのいずれかであるパドルミキサーなどのモーター駆動ミキサー，または任意の他の適切な混合装置、などの適切な混合装置を使用して実施することができる。
【００３５】
本開示の方法によれば、複数の動作部位はサンプルをインキュベートする１つまたは複数の動作部位を備えることができ、ここで該方法は、システムの周囲温度で、または追加的にあるいは代替的に、例えば、高温空気浴，水浴，加熱ブロック，サンプルを加熱するためにサンプル容器に十分近接して配置された加熱要素，その他の適切な加熱装置を使用してサンプルを加熱して、サンプルをインキュベートすることを含み得る。
【００３６】
複数の動作部位はサンプル容器を洗浄するための動作部位を備えることができ、ここで該方法は、サンプル容器を洗浄するために動作部位でサンプル容器を洗浄することを含む。洗浄は、サンプル容器を洗浄するためにサンプル容器中に流体をスプレーするかまたは別途吐出する洗浄器などの洗浄装置を使用して行うことができる。洗浄は、例えば、サンプル容器を洗浄するために使用される流体に消毒剤，殺菌剤，及び／または洗浄剤を含ませることにより、サンプル容器を消毒，殺菌，及び／または洗浄することを含み得る。
【００３７】
特定の態様では、複数の動作部位はサンプル容器を乾燥するための動作部位を備えることができ、ここで該方法は、サンプル容器を乾燥するために動作部位でサンプル容器を乾燥することを含む。乾燥は、サンプル容器を乾燥するためにサンプル容器に空気（例えば、高温空気）を吹き付けることができる装置などの任意の適切な乾燥装置を使用して行うことができる。
【００３８】
特定の実施形態によれば、ロータリープラットフォームを回転させることは、所定の周期で複数の動作部位を介してサンプル容器を移動させるようにロータリープラットフォームを回転させることを含む。
【００３９】
特定の態様では、ロータリープラットフォームは、ロータリープラットフォームの周縁部に位置され、ロータリープラットフォームの回転の中心軸の周りに互いに約等間隔に配置された複数のサンプル容器を備える。この態様によれば、回転させることは、所定の周期で複数の動作部位を介してサンプル容器を移動させるようにロータリープラットフォームを回転させることを含む。特定の実施形態によれば、回転させることは、ロータリープラットフォームの回転の中心軸の周りに４５度毎に配置された８個のサンプル容器を所定の周期で８個の動作部位を介して移動させるために、ロータリープラットフォームを所定の周期で約４５度回転させることを含む。所定の周期は、約１５，１６，１７，１８，１９，２０，２１，２２秒またはそれらの倍数（例えば、１８秒または１８秒の倍数）を含む、任意の適切な周期であることができるが、これらに限定されない。
ユーティリティー
【００４０】
本開示のシステム及び方法は、対象のアッセイのために１つまたは複数のサンプルをインキュベートするのに有用な広範のアプリケーション（例えば、研究及び／または臨床アプリケーション）に用途を見出す。該システム及び方法は、細胞（例えば、ＲＢＣ，ＷＢＣ，ＲＥＴ，ＰＬＴ，ＮＲＢＣ，ＣＤ６１＋，ＣＤ３＋，ＣＤ４＋及び／またはＣＤ８＋細胞），ＤＮＡ、タンパク質、を含む生物学的材料、及び／または、アルカリホスファターゼ，ビリルビン，二酸化炭素，クレアチニン，γ−グルタミルトランスフェラーゼ（ＧＧＴ），窒素尿素，アルブミンＢＣＧ，アルブミンＢＣＰ，ＡＬＴ，活性化ＡＬＴ，アミラーゼ，ＡＳＴ，活性化ＡＳＴ，カルシウム，塩化物コレステロール，ＣＫ，直接ビリルビン，直接ＬＤＬ，グルコース，ＨＤＬ，鉄，ＬＤＨ，リチウム，マグネシウム，リン，カリウム，ナトリウム，総タンパク質，トリグリセリド，尿酸，またはそれらの任意の組み合わせなどの臨床的に関連する分析物、をアッセイする（例えば、検出及び／または定量する）ためにサンプルをインキュベートすることに用途を見出す。従って、特定の態様では、本開示のインキュベーションシステム及び方法は、血液学、分子生物学、生化学、及び／または臨床化学アッセイシステムに（またはそれらとの組合せに）用途を見出す。
【００４１】
本開示のシステム及び方法は、２つ以上のアッセイの結果が所望され、２つ以上のアッセイのうち少なくとも２つは異なるインキュベーション時間を必要とする（または使用して最適に実行される）場合に、高いスループットのサンプルのアッセイを許容することにおいて、以前のシステム及び方法に対する改善を構成する。例えば、臨床血液分析装置及び本開示より前の状況では、単一希釈法における血液サンプルからの単一希釈サンプルは、最大インキュベーション時間インキュベートされなければならない。すなわち、アッセイＢがアッセイＡより長いインキュベーション時間を必要とするような、仮想的な血液学的アッセイＡ及びアッセイＢについては、希釈サンプルは、長い方のインキュベーション時間がアッセイＡに対して準最適／有害であるとしても、２つのインキュベーション時間のうちの長い方でインキュベートされなければならない。臨床血液分析装置の状況における例として、３６秒の好ましいインキュベーション時間を有するＲＢＣ／ＷＢＣアッセイと、９０秒の好ましいインキュベーション時間を有する網状赤血球アッセイを、単一希釈サンプルで実施することが望まれ得る。本開示の前は、例えば、ＲＢＣ及びＷＢＣは長い方（９０秒）のインキュベーション時間の結果として形状及び／または体積を変えるために、長い方のインキュベーションはＲＢＣ／ＷＢＣアッセイに有害であるとしても、両方のアッセイは９０秒のインキュベーションの後に実行される必要があったであろう。本開示のシステム及び方法は、この問題を解決するとともに、依然として高いスループットを可能にする。
【００４２】
図面の以下の詳細な説明は、本開示のシステム及び方法の例示的な実施形態を示す添付の図面を参照する。他の実施形態が可能である。修正は、本発明の精神及び範囲から逸脱することなしに本明細書に記載の実施形態に対してなされ得る。従って、以下の詳細な説明は、限定することを意図するものではない。
【００４３】
図１は、一実施形態に係る、血液学的アッセイのためにサンプルをインキュベーションするための１−希釈インキュベートシステムを示す図である。回転の中心軸１０３のまわりに４５度毎に配置された８個のサンプル容器１０２ａ，１０２ｂ，１０２ｃ，１０２ｄ，１０２ｅ，１０２ｆ，１０２ｇ，及び１０２ｈを備えるロータリープラットフォーム１０１を備えるインキュベーションシステム１００が示されている。ロータリープラットフォーム１０１は、中心軸１０３の周りを回転するように構成されている。例えば、インキュベーションシステムは、中心軸１０３の周りにロータリープラットフォーム１０１を回転させるように、ロータリープラットフォーム１０１に動作可能に結合されたモータ（図示せず）を備えてもよい。
【００４４】
インキュベーションシステム１００は、様々な動作が実施される動作部位１，２，３，４，５，６，７，及び８も備える。図１に示される例では、それぞれのサンプル容器は、それぞれの動作部位１，２，３，４，５，６，７，及び８に配置される。ロータリープラットフォーム１０１が新たな方向に回転すると（例えば、４５度だけ時計回りに）、動作部位１，２，３，４，５，６，７，及び８のそれぞれのサンプル容器は、次の時計回りの動作部位に回転させられる。
【００４５】
動作部位１は、動作部位１に配置されたサンプル容器内にサンプルを提供する。例えば、インキュベーションシステム１００は、サンプル容器内にサンプルを提供するために動作部位１に動作可能に配置されたサンプル送達装置１０４を備える。サンプル送達装置１０４は、プローブ、分注器、または動作部位１に現在配置されている容器内にサンプルを送達するための任意の他の装置であり得る。図示のように、一実施形態では、サンプル送達装置１０４は、サンプル源１８０から血液サンプルを引出すように回転させられる。いくつかの例では、送達デバイスはサンプル容器内にサンプル提供する前に、血液サンプルの初期量を廃棄することができる。一実施形態では、サンプル送達装置１０４は、希釈されている−例えば、希釈剤及び／または染料を含む、サンプルを提供する。
【００４６】
動作部位２は、動作部位１から回転して現在動作部位２に配置されているサンプル容器内でサンプルを混合する。例えば、インキュベーションシステム１００は、サンプル容器が動作２に到着するとその中でサンプルを混合するように、動作部位２に動作可能に配置された混合装置１０５を備える。
【００４７】
動作部位３は、動作部位２から回転して現在動作部位３に配置されているサンプル容器内にサンプルの一部を抽出する。サンプルは測定の目的で抽出される。例えば、インキュベーションシステム１００は、現在動作部位３に配置されているサンプル容器内にサンプルの一部を抽出するために、動作部位３に動作可能に配置された抽出装置（例えば、吸引プローブ１０６）を備えることができる。
【００４８】
動作部位４は、動作部位３から回転して現在動作部位４に配置されているサンプル容器内でサンプルをインキュベートする。サンプルは、動作部位４でインキュベートする間加熱される。例えば、インキュベーションシステム１００は、サンプル容器内でサンプルを加熱するために、動作部位４に動作可能に配置された加熱装置１０７を備える。例えば、加熱装置１０７は、ロータリープラットフォーム１０１の下側に設けられた高温空気浴であり得る。
【００４９】
動作部位５は、動作部位４から回転して現在動作部位５に配置されているサンプル容器内でサンプルを混合する。例えば、インキュベーションシステム１００は、サンプル容器内でサンプルを混合するために、動作部位５に動作可能に配置された別の混合装置１０８を備えてもよい。図示の実施形態では、加熱装置１０７も、サンプル容器内でサンプルを加熱するために動作部位５に動作可能に配置されている。
【００５０】
動作部位６は、動作部位５から回転して現在動作部位６に配置されているサンプル容器内にサンプルの一部を抽出する。サンプルの一部は、例えば、測定の目的で抽出される。例えば、インキュベーションシステム１００は、サンプル容器内にサンプルの一部を抽出するために、動作部位６に動作可能に配置された別の抽出装置１０９を備えてもよい。さらに、測定は動作部位６で生じる。
【００５１】
動作部位７は、動作部位６から回転して現在動作部位７に配置されているサンプル容器を洗浄する。例えば、インキュベーションシステム１００は、サンプル容器を洗浄するために、動作部位７に動作可能に配置された洗浄装置１１０を備え得る。洗浄装置１１０は、例えば、任意の残留サンプルを洗浄するために、サンプル容器に水または洗浄液などの液体をスプレーするための注水源であり得る。
【００５２】
動作部位８は、動作部位７から回転して現在動作部位８に配置されているサンプル容器を乾燥する。例えば、インキュベーションシステム１００は、サンプル容器を乾燥するために、動作部位８に動作可能に配置された乾燥装置１１１を備え得る。乾燥装置１０８は、例えば、洗浄装置１１０からの任意の残留液体を乾燥するためにサンプル容器に高温空気を吹き付けるための高温空気源であり得る。
【００５３】
使用例
【００５４】
ロータリープラットフォーム１０１に４５度間隔で８個の混合カップがある。ロータリープラットフォーム１０１は１８秒の所定の周期で時計回りに４５度だけ回転する。
【００５５】
動作部位１では、例えば、血液サンプルは、サンプル容器内で希釈される。例えば、血液サンプルは、希釈剤により希釈されてもよい。いくつかの例では、血液サンプルは、染料溶液で希釈されてもよい。例えば、希釈サンプルは、薬１３１３uＬの総容量で、３７．５uＬの血液対１２７５uＬの希釈剤及び染料など、１：３５の血液対希釈剤及び染料の比を含み得る。値の例は、例示的な目的のために提供されたものであり、限定すると見なされるべきではない。
【００５６】
１８秒後に、ロータリープラットフォーム１０１は、次いで時計回りに４５度回転させられ、それぞれのサンプル容器を次の時計回りの動作部位に移動させる。従って、例えば、希釈サンプルを有するサンプル容器は、動作部位１から動作部位２に時計回りに回転させられる。動作部位２では、ミキサー１０５は、サンプル容器内で希釈サンプルを混合する。例えば、ミキサー１０５は、希釈サンプルを１４秒間、または任意の他の所定時間を混合し得る。
【００５７】
３６秒時点で、ロータリープラットフォーム１０１は、次いで、４５度時計回りに再び回転させられ、動作部位２のサンプル容器は現在動作部位３にある。動作部位３では、希釈サンプルの一部が、３６秒のインキュベーション時間での測定の実行のために、例えば吸引プローブなどの抽出装置によって、サンプル容器から抽出される。例えば、吸引プローブは、希釈サンプルの一部を抽出し、アッセイのためにフローセルに移送することができる。特定の実施形態では例えば、アッセイは、本明細書で「ＲＢＣ／ＰＬＴ／ＷＢＣをアッセイする」とも呼ばれる赤血球（ＲＢＣ）、血小板（ＰＬＴ）、白血球（ＷＢＣ）の測定、または本明細書で「ＲＢＣ／ＰＬＴをアッセイする」とも呼ばれるＲＢＣ及びＰＬＴの測定、を含み得る。例えば、吸入容積は、必要に応じて、全容積の約半分（例えば、１３１３uＬのうちの６５０uＬ）、または希釈サンプルの他のサイズの部分を含むことができる。
【００５８】
希釈サンプルは回転させられ続け、さらに動作部位３と５の間でインキュベートされる。例えば、５４秒時点でサンプル容器は動作部位４に回転させられ、７２秒時点でサンプル容器は動作部位５に回転させられる。図示の実施形態では、サンプルは、高温空気浴−例えば、例えばロータリープラットフォームの下に配置されている、にさらされている間、動作部位３と５の間でインキュベートされる。動作部位５では、希釈サンプルはミキサー１０８によって混合される。９０秒時点で動作部位６に回転させられてから、残った希釈サンプルの一部（または全部）が、９０秒のインキュベーション時間での別の測定のために、次いで吸引プローブによって抽出される。例えば、サンプルは、測定分析のためのフローセルに抽出されてもよい。
【００５９】
１０８秒時点でサンプル容器は動作部位７に回転させられ、ここでサンプル容器中の任意の残留サンプルは廃棄されて、容器は洗浄液で洗浄される。例えば、多目的プローブがカップ中の液体をスプレーし、プローブの底部の吸引部が洗浄液を吸い出す。
【００６０】
１２６秒時点でサンプル容器は動作部位８に回転させられ、サンプル容器は乾燥させられる−例えば、ポリエチレン多孔質先端部及び真空吸引によって。サンプル容器は、次いで、新たな希釈に使用されるように動作部位１に回転させられる。
【００６１】
複数のプロセスが異なるサンプルに対して同時に起り得ることが理解されるべきである。例えば、最初の希釈サンプルが動作部位１で提供されそして動作部位２に回転させられた後、動作部位１に配置された次のサンプル容器中に次の希釈サンプルが提供される。次の回転で、動作部位１に到達する次のサンプル容器は、希釈サンプルを受け取るであろう。これがそれぞれの回転について繰返されてもよく、最終的に、最初のサンプル容器は一回りして動作部位１に戻って、その中に新たな希釈サンプルが提供されるであろう。この方法では、高いスループットが達成される。一実施形態では、例えば、１８秒ごとに４５度回転する８個のサンプル容器が、高いスループット−例えば、毎時２００回実行、を達成し得る。
【００６２】
複数のプロセスが異なるサンプルに対して同時に起り得ることが理解されるべきである。他の実施形態では、回転間の所定の時間が異なってもよいことが理解されるべきである。一実施形態では、所定の時間は、１８秒の倍数である。さらに、測定のための動作部位の位置は、回転間の時間に基く適切なインキュベーション時間を与えるように、適宜配置され得ることが理解されるべきである。さらに、他の実施形態では、８個以外の異なる数のサンプル容器が実施され得ることが理解されるべきである。
【００６３】
上記の実施形態では、２つのアッセイが、動作部位３と６で実行される。複数のサンプルが同時にインキュベートされ、回転させられているので、動作部位３と６で２つのアッセイが、２つの異なるサンプル−例えば、現在動作部位３にある１つのサンプルと現在動作部位６にあるもう１つのサンプル、について、それぞれの時間実行されている。特定の実施形態では、２つの光学ベンチがそれぞれのアッセイについて使用され得る。
【００６４】
特定の実施形態では、複数のアッセイのために単一の光学ベンチが使用され得る。図２は、単一の光学ベンチによって実行され得る２つのアッセイにおける例示的な方法の時間図を示したものである。この例の所定の回転間隔は１８秒であるが、プラットフォームの回転は、次の動作部位に到達するのに、いくらかの時間（例えば、１秒）を要する。従って、図示の時間図は、ロータリープラットフォームがそれぞれの動作部位にまだ留まる１７秒を表す。
【００６５】
図示の例では、時間図２００は、動作部位３でサンプル容器から抽出されたサンプル容器の一部に対する第１の測定２１０、及び動作部位６でサンプル容器から抽出されたサンプル容器の一部に対する第２の測定２５０、の時間図を含む。例えば、測定２１０は、ＲＢＣの計数とＷＢＣの計数を行い、測定２５０は、網状赤血球（ＲＥＴ）の計数を行う。２つのサンプルが動作部位３及び６にある１８秒で、光学ベンチは、吸引時間と洗浄時間を含むシリーズモードでＲＢＣ／ＷＢＣおよびＲＥＴサンプルを走行させる。図示のように、１８秒の間隔の最初の２秒で、測定２１０及び２５０のサンプルが準備される（例えば、フローセルを配置するために抽出される）。２秒の準備の後、２秒を要するＲＢＣ計数に続く７秒を要するＷＢＣ計測で、測定２１０が続く。この時間の間、測定２５０は待機するが、次いで７秒のＷＢＣ計数の後開始される。例えば、７秒のＷＢＣ計数の後、測定２５０は、２秒の準備時間（例えば、フローセル中にサンプルを配置する）を含み、ＲＥＴ計数を行うための１秒がこれに続く。その後、ＲＥＴ計数が行われ、残りの３秒が両方ステージングチューブを洗浄するために使用される。
【００６６】
図３は、一実施形態に係る、図１に記載したインキュベーションシステムを備える例示的システムの図を示したものである。図示のように、システム３００は、上記のように動作する、ロータリープラットフォーム１０１，サンプリング装置１０４，ミキサー１０５と１０８，吸引プローブ１０６と１０９，洗浄器１１０及び乾燥器１１１、を備えるように示されている。システム３００は、ソースパネル３０５と、ロータリープラットフォーム１０１，サンプリング装置１０４，ミキサー１０５と１０８，吸引プローブ１０６と１０９，洗浄器１１０及び乾燥器１１１と、の間を図示のようにコンジットで動作可能に結合した複数のバルブ１１〜２６，３１〜３７，及び４１〜４８も備える。ソースパネル３０５は、例えば、廃棄物ライン３１０と３２５，脱イオン（ＤＩ）水３１５，希釈ライン３２０と３３０のためのポートを備える。他の実施形態では、１つまたは複数のソースを別々に配置することができる−すなわち、必ずしも、すべてのソース及び／またはソースポートを収納する単一ソースパネルの一部ではない。
【００６７】
図４は、一実施形態に係る、図１に記載したインキュベーションシステムを備える例示的システムのブロック図を示したものである。例えば、システム４００は、回転駆動制御４１０を介してロータリープラットフォーム４１０に通信可能に結合されたデータ処理装置４０５（例えば、コンピュータ）を備えるように示されている。データ処理装置の例示的実施形態が図９に示されている。回転駆動制御４１０は、例えば、コンピュータによる命令を受けて、例えばモーターとギアを介してロータリープラットフォームに接続された回転駆動機構をアクティブにし、非アクティブにするコントローラを備える。コンピュータ４００は、装置のロータリープラットフォーム１０１とのコーディネーションと同期を制御するために、サンプリング装置１０４、及び吸引プローブ１０６と１０９にも通信可能に接続され得る。
【００６８】
特定の実施形態では、追加のサンプル容器が実装され得る。例えば、追加のサンプル容器は、図１に記載のロータリープラットフォーム１０１に加えられてもよい。図５には、図１に記載のロータリープラットフォームとともに、セルバイセルＨＢ以外のバルクヘモグロビン（ＨＢ）の測定のための追加のサンプル容器を備えるシステムが示されている。例えば、図５に示すシステム５００は、図１に記載の動作部位１，２，３，４，５，６，７，及び８におけるサンプル容器とともに、ＨＢ測定のための動作部位１’，２’，３’，４’，５’，６’，７’，及び８’における追加のサンプル容器を備える。簡潔かつ明瞭にするため、図１と図５の同様な特徴は、再びさらに詳細に記載されるのではなく、前の説明が適用可能である。システム５００は、吸引プローブ１０６によって採取されたサンプルからのＲＢＣ／ＷＢＣ測定と、同時にかつ並行してＨＢ測定を行うために、ＨＢサンプルの一部または全部を抽出する吸引プローブ５０５も備える。
【００６９】
図６は、特定の実施形態に係る、１−希釈インキュベーションシステムを示す。インキュベーションシステム６００は、回転の中心軸６０３の周りに９０度毎に動作部位Ａ,Ｂ，Ｃ，及びＤに配置された４つのサンプル容器を備えたロータリープラットフォーム６０１を備えるように示されている。図示の例示的サンプル容器６０２は、２−３ｍＬのキュベットである。他の実施形態では、他の容器が実装され得る。ロータリープラットフォーム６０１は、中心軸６０３の周りに回転するように構成される。例えば、インキュベーションシステムは、中心軸６０３の周りにロータリープラットフォーム６０１を回転させるようにロータリープラットフォーム６０１に動作可能に結合されたモータ（図示せず）を備え得る。
【００７０】
インキュベーションシステム６００は、様々な動作が実施される動作部位Ａ，Ｂ，Ｃ，及びＤも備える。図６に示した例では、それぞれのサンプル容器（例えば、キュベット）は、それぞれの動作部位Ａ，Ｂ，Ｃ，及びＤに配置されている。ロータリープラットフォーム６０１が新たな方向に回転すると（例えば、９０度だけ時計回りに）、動作部位Ａ，Ｂ，Ｃ，及びＤのそれぞれのサンプル容器は、次の時計回りの動作ステーションに回転させられる。再び、回転間の時間は変り得る。一実施形態では、所定の時間は１８秒である。動作部位Ａは、動作部位Ａに配置されたサンプル容器にサンプルを提供する。例えば、インキュベーションシステム６００は、サンプル容器にサンプルを提供するために動作部位Ａに動作可能に配置されたサンプル送達装置６０４を備える。
【００７１】
動作部位Ａは、動作部位Ａに配置されたサンプル容器にサンプルを提供する。例えば、インキュベーションシステム６００は、サンプル容器にサンプルを提供するために動作部位Ａに動作可能に配置されたサンプル送達装置６０４を備える。
図示の実施形態では、サンプル送達装置６０４は、血液吸引ポンプ６０４ｂ，プローブ６０４ｃと６０４ｄ（例えば、オープンチューブプローブ及び/またはクローズチューブプローブ），試薬シリンジ６０４ｅに動作可能に結合されたシャーバルブ６０４ａなどの複数のコンポーネントを備える。ポンプ６０４ｂは、サンプル（例えば、血液サンプル）を含むそれぞれのソースからサンプルを引出すために、１つまたは複数のプローブ６０４ｃと６０４ｄに吸引を提供する。例えば、クローズチューブプローブ６０４ｄは、血液サンプルが引出されるとき、血液サンプルを含むクローズチューブのセット６５１のキャップを穿孔するためのキャップ穿孔器６５２を備える。シャーバルブ６０４ａは、試薬型試薬シリンジ６０４ｅで血液サンプルを希釈し、動作部位Ａに１つのアリコートを提供する。いくつかの例では、試薬と希釈サンプルは、図示のように、加熱要素６５２によって加熱される。
【００７２】
所定の時間の後、動作部位ａの希釈サンプルＢはを動作部位に回転させられる。動作部位Ｂで、希釈サンプルは試薬シリンジ６５３によって染料でさらに希釈され、そしてミキサー６０５がサンプルを混合する間、加熱要素６５４によってさらに加熱される。
【００７３】
別の所定の時間の後、サンプルは動作部位Ｃに回転させられ、そこでサンプルの一部または全部が抽出装置６０６（例えば、吸引器）によって抽出され、光学ベンチ６５０で抽出サンプルの測定が実施される。
【００７４】
別の所定の時間の後、動作部位Ｃのサンプル容器は動作部位Ｄに回転させられ、そこでサンプル容器は洗浄器−乾燥器６１０によって洗浄され乾燥される。洗浄器−乾燥器６１０の例も図６に示されている。洗浄器−乾燥器６１０は、洗浄器６１０Ａと乾燥器６１０Ｂを備える。洗浄器６１０Ａは、動作部位Ｄに配置されたサンプル容器６０２に入るように配置され、洗浄液でサンプル容器を洗浄する。洗浄の後、乾燥器６１０Ｂがサンプル容器６０２内に挿入され、サンプル容器に空気（例えば、加熱された空気）を供給してサンプル容器を乾燥する。
【００７５】
動作部位Ｄにおけるサンプル容器を洗浄及び乾燥するのに十分な別の所定の時間の後、ロータリープラットフォームは動作部位Ｄのサンプル容器が動作部位Ａに戻るように回転させられ、プロセスは繰返すことができる。再び、複数のプロセスが異なるサンプルについて同時に起り得ることが理解されるべきである。
【００７６】
図７は、特定の実施形態に係る、３−希釈インキュベーションシステムを示す。インキュベーションシステム７００は、ロータリープラットフォーム７０１が、回転の中心軸７０３の周りに９０度毎に動作部位Ｅ，Ｆ，Ｇ，及びＨに配置された３連で配置された１２個のサンプル容器を備えるように示されている。ロータリープラットフォーム７０１は中心軸７０３の周りに回転するように構成されている。例えば、インキュベーションシステムは、中心軸７０３の周りにロータリープラットフォーム７０１を回転させるようにロータリープラットフォーム７０１に動作可能に結合されたモータ（図示せず）を備え得る。
【００７７】
インキュベーションシステム７００は、様々な動作が実施される動作部位Ｅ，Ｆ，Ｇ，及びＨを備える。図７に示した実施形態では、３連のサンプル容器がそれぞれの動作部位Ａ，Ｂ，Ｃ，及びＤに配置されている。ロータリープラットフォーム７０１が新たな方向に回転すると（例えば、９０度だけ時計回りに）、動作部位Ｅ，Ｆ，Ｇ，及びＨのそれぞれの３連のサンプル容器は、次の時計回りの動作ステーションに回転させられる。
【００７８】
動作部位Ｅは、動作部位Ｅに配置された３連のサンプル容器にサンプルを提供する。例えば、インキュベーションシステム７００は、３連のサンプル容器のそれぞれの中にサンプルを提供するために動作部位Ｅに動作可能に配置されたサンプル送達装置７０４を備える。サンプル送達装置７０４は、３連のそれぞれの容器内にサンプルを順次提供する単一のシステムを備え得ることが理解されるべきである。あるいは、サンプル送達装置７０４はサンプル容器内にサンプルを同時に提供する３つの送達装置を備え得る。
【００７９】
一実施形態では、サンプル送達装置７０４は、血液吸引ポンプ７０４ｂのセット，プローブ７０４ｃと７０４ｄ（例えば、オープンチューブプローブ及び/またはクローズチューブプローブ）のセット，試薬シリンジ７０４ｅのセットに動作可能に結合されたシャーバルブ７０４ａなどの複数のコンポーネントを備える。ポンプ７０４ｂは、サンプル（例えば、血液サンプル）を含むそれぞれのソースからサンプルを引出すために、１つまたは複数のプローブ７０４ｃと７０４ｄに吸引を提供する。例えば、クローズチューブプローブ７０４ｄは、血液サンプルが引出されるとき、血液サンプルを含むクローズチューブのセット７５１のキャップを穿孔するためのキャップ穿孔器７５２を備える。シャーバルブ７０４ａは、試薬型試薬シリンジ７０４ｅのセットで血液サンプルを希釈し、動作部位Ｅに配置された３つのサンプル容器に３つのアリコートを提供する。
【００８０】
所定の時間の後、動作部位Ｅの３連のサンプルは動作部位Ｆに回転させられる。動作部位Ｆで、装置７５３と７５７は、それぞれ、サンプルを染料で希釈し、ＨＢを溶解する；加熱要素７５４はサンプルを加熱し、３つのミキサー７０５はサンプルを混合する。
【００８１】
別の所定の時間の後、３連のサンプルは動作部位Ｇに回転させられ、そこでサンプルの一部または全部が抽出装置７０６（例えば、３つの吸引器）によって抽出され、そして検出器７５０Ａ，７５０Ｂ，及び７５０Ｃで抽出されたサンプルの測定が行われる。例えば、検出器７５０は、ＷＢＣ／５−差分／ＮＲＢＣ／ＲＢＣ／ＰＬＴ／ＲＥＴ測定を行うために使用される光検出器であってもよい；検出器７５０ＢはＨＢ測定に使用される測光検出器であってもよい；そして、検出器７５０Ｃは、（例えば、コールター法を用いて）ＭＣＶ測定のためのインピーダンスを測定することができる。
【００８２】
別の所定の時間の後、動作部位Ｇの３連のサンプル容器は動作部位Ｈに回転させられ、そこでサンプル容器は洗浄器−乾燥器７１０によって洗浄され乾燥される。動作部位Ｈにおけるサンプル容器を洗浄及び乾燥するのに十分な別の所定の時間の後、ロータリープラットフォームは動作部位Ｈのサンプル容器が動作部位Ｅに戻るように回転させられ、プロセスは繰返すことができる。再び、複数のプロセスが異なるサンプルについて同時に起り得ることが理解されるべきである。１つまたは複数の動作ステーションの装置は、それぞれの動作を同時に実施するために３連で実装することができるか、あるいは、単一の装置で順次実施することができることが理解されるべきである。
【００８３】
図８は、一実施形態に係る、図７のインキュベーションシステムを示す。インキュベーションシステム８００は、リフターアーム８０１，８０２，８０３，及び８０４を備えるように示されている。リフターアーム８０１は、動作部位Ｅに配置され、サンプソース８０５からサンプルを収集するように回転させられ得る。単一のリフターアーム８０１は、ソース８０５のサンプル管からサンプルを収集するように示されている。リフターアーム８０１は、ある体積のサンプルを収集し、第１，第２，及び第３のサンプル容器に回転させられると、３連のそれぞれのサンプル容器に所定の量の血液サンプルを分配する吸引プローブを備えることができる。３連のサンプル容器内でそれぞれのサンプル容器に動作可能に結合された希釈装置７６１，７６２，及び７６３（例えば、試薬シリンジ）も示されている。ソースからのそれぞれの血液サンプルは、それぞれの希釈装置７６１，７６２，及び７６３で希釈され得る。リフターアーム８０２は、動作部位Ｆに配置されており、３連のサンプル容器の別々のサンプルにそれぞれ挿入される３つのミキサーを備える。高温空気浴７５４は、サンプルに高温空気を供給するために、ロータリープラットフォーム７０１の下に配置することができる。リフターアーム８０３は動作部位Ｇであり、それぞれの検出器７５０Ａ，７５０Ｂ，及び７５０Ｃで行われる測定のためにそれぞれのサンプル容器内にサンプルの一部または全部を抽出するのにそれぞれ使用される３つの吸引プローブを備える。図示のように、吸引プローブが測定のためにサンプルの一部または全部を抽出した後、リフターアームは、クロスコンタミネーションを防止するために、プローブを洗浄するための洗浄ステーション８０８に回転することができる。リフターアーム８０４は、それぞれのサンプル容器に１つの、３つの洗浄器−乾燥器を有する洗浄器−乾燥器７１０を備える。例えば、洗浄器−乾燥器のそれぞれは、図６に示した洗浄器−乾燥器６１０と同様であり得る。
【００８４】
図９は、一実施形態に係る、図１の例示的データ処理装置４０５のブロック図を示す。本発明の実施形態は、ハンドヘルドデバイス，マイクロプロセッサシステム，マイクロプロセッサベースのまたはプログラム可能なユーザエレクトロニクス，ミニコンピュータ，メインフレームコンピュータ他などの様々なコンピュータシステム構成で実施することができる。実施形態は、タスクが、有線ベースまたは無線ネットワークを介してリンクされるリモート処理装置によって実行される、分散コンピュータ環境でも実施することができる。図９は、データ処理システム４０５などのデータ処理システムの一例を示しており、これは本記載の実施形態で使用することができる。図９は、データ処理システムの様々なコンポーネントを示しているが、そのような詳細は本明細書に記載の技術に密接に関連しないので、コンポーネントを相互接続する任意の特定のアーキテクチャまたは方法を表すことを意図するものではないということに注意されたい。より少ないコンポーネントまたはおそらくより多くのコンポーネントを有するネットワークコンピュータおよび他のデータ処理システムも使用され得ることも認識されるであろう。図９のデータ処理装置は、例えば、パーソナルコンピュータ（ＰＣ），ワークステーション，タブレット，スマートフォンまたは他のハンドヘルドワイヤレスデバイス，または同様の機能を有する任意の装置であってもよい。さらに、用語「データ処理システム」は、ソフトウェア及び/またはファームウェアによってプログラムされる、または構成されるプログラマブル回路を、または、専用「ハードワイヤード」回路もしくはそのような形態の組み合わせ内に、包含することもできる。このような専用の回路は（もしあれば）、例えば、１つまたは複数の特定用途集積回路（ＡＳＩＣ），プログラマブルロジックデバイス（ＰＬＤ），フィールドプログラマブルゲートアレイ（ＦＰＧＡ）、などの形態であることができる。例えば、データ処理装置は、互いに動作可能に、通信可能に結合された様々なモジュールを含むＦＰＧＡの形態であってもよい。例えば、ＦＰＧＡは、処理装置として機能するモジュール、メモリーとして機能するモジュール、ベースライン復元モジュールと、ピーク検出ジュール、連続的消去モジュール、チャネル分析モジュールなどを含み得る。
【００８５】
図９に示した例示的な実施形態については、データ処理システム１２０１は、マイクロプロセッサ１２０３，読み出し専用メモリー（ＲＯＭ）１２０７，揮発性ランダムアクセスメモリー（ＲＡＭ）１２０５，並びに他の不揮発性メモリー１２０６に結合されたシステムバス１２０２を備える。図示の実施形態では、マイクロプロセッサ１２０３がメモリー１２０４をキャッシュするために結合されている。システムバス１２０２は、これらの様々なコンポーネントを一緒に相互接続するように、そして、コンポーネント１２０３，１２０７，１２０５，及び１２０６をディスプレイコントローラ及びディスプレイ装置１２０８に、及び入力／出力（「Ｉ／Ｏ」）デバイス１２１０などの周辺機器にも、相互接続するように、構成され得る。Ｉ／Ｏデバイスのタイプは、キーボード，モデム，ネットワークインタフェース，プリンタ，スキャナ，ビデオカメラ，または当該技術分野で周知の他の装置を備えることができる。Ｉ／Ｏデバイス１２１０のいくつかは、いくつかの場合にはＩ／Ｏコントローラ１２０９を介してシステムバス１２０２に結合されてもよい。一実施形態では、Ｉ／Ｏコントローラ１２０９は、本明細書に記載のインキュベーションシステムの他のデバイスおよびコンポーネントに通信可能に結合され得る。例えば、一実施形態では、コントローラは、ロータリープラットフォームを回転させるために駆動制御４１０のモーターに電力を供給するのに使用することができる。同様に、吸引プローブ，ミキサー，洗浄機，乾燥機などの他の構成要素も、データ処理装置４０５に通信可能に結合されたコントローラを備えることができる。
【００８６】
ＲＡＭ１２０５は、メモリー内のデータをリフレッシュ又は維持するために電力を継続的に必要とするダイナミックＲＡＭ（「ＤＲＡＭ」）として実装することができる。他の不揮発性メモリー１２０６は、電源がシステムから除去された後にデータを保持する磁気ハードドライブ，光磁気ドライブ，光ドライブ，ＤＶＤ ＲＡＭ，または他のタイプのメモリーシステムであり得る。図９は、不揮発性メモリー１２０６を、データ処理システム内の残りのコンポーネントと結合されたローカルデバイスとして示しているが、上記の技術は、モデムまたはイーサネット（登録商標）インターフェースなどのネットワークインタフェースを介してデータ処理システムに結合されたネットワーク記憶装置（図示せず）などの、システムから離れた不揮発性メモリーを使用し得ることが、当業者によって認識されるであろう。
【００８７】
本開示の範囲内での他の実施形態及び変形は、当業者には明らかであろう。本開示の実施形態が適用できる様々な変形、プロセス、並びに多くの構造は、本明細書のレビューに際して本開示が対象とする当業者には容易に明らかになるであろう。本開示は、任意の特定の解釈、信念、理論、基礎となる前提、及び/または実施例もしくは机上の例に制約されないことが理解されるであろうが、本開示の様々な態様と特徴は、解釈、信念、理論、基礎となる前提、及び/または実施例もしくは机上の例に関連して説明され、記載されているであろう。
【００８８】
上記の導入技術のいくつかは、ソフトウェア及び/またはファームウェアによってプログラムされまたは構成されるプログラマブル回路によって実現することができ、またはそれらは専用の「ハードワイヤード」回路によって、もしくはそのような形態の組み合わせで、完全に実現することができることが理解されるべきである。このような専用の回路は（もしあれば）、例えば、１つまたは複数の特定用途集積回路（ＡＳＩＣ），プログラマブルロジックデバイス（ＰＬＤ），フィールドプログラマブルゲートアレイ（ＦＰＧＡ）、などの形態であり得る。
【００８９】
本明細書で導入された技術を実施するソフトウェアまたはファームウエアは、機械可読記憶媒体に格納することもできるし、１つまたは複数の汎用または専用のプログラマブルマイクロプロセッサで実行することもできる。「機械可読記憶媒体」は、この用語が本明細書で使用される場合、機械によってアクセス可能な形態に情報を格納することができる任意の機構を含む（機械は、例えば、コンピュータ，ネットワークデバイス，携帯電話，パーソナルデジタルアシスタント（ＰＤＡ），製造が使用したもの，１つまたは複数のプロセッサを備えた任意の装置、などであり得る）。例えば、機械アクセス可能な媒体は記録可能／非記録可能媒体（例えば、リードオンリーメモリー（ＲＯＭ）；ランダムアクセスメモリー（ＲＡＭ）；磁気ディスク記憶媒体；光記憶媒体；フラッシュメモリー装置；など）、などを含む。
【００９０】
従って、前術は本開示のシステム及び方法の原理を単に示している。当業者は、本明細書には明確に記載または示されていないが、本開示のシステムおよび方法の原理を具現化し、その精神および範囲内に含まれる、様々な構成を考案できることが認識されるであろう。さらに、本明細書に列挙される実施例と条件付き言語は、本開示のシステム及び方法の原理と、当該技術を促進するために発明者によって提供される概念を理解するのに読者を助けるように主に意図されており、そのような具体的に列挙された実施例と条件に限定されないものとして解釈されるべきでる。さらに、本発明の原理、態様、及び実施形態とともにそれらの具体的な実施例を列挙する記載は、本明細書それらの構造的及び機能的均等物を包含するように意図されている。さらに、このような均等物は、現在知られている均等物と、将来開発される均等物、すなわち、構造に関わらず、同じ機能を実行するように開発されるエレメント、の両方を含むことが意図されている。従って、本開示のシステム及び方法の範囲は、本明細書に示され、記載される例示的実施形態に限定されないように意図されている。むしろ、本開示のシステム及び方法の範囲及び精神は、添付の特許請求の範囲によって具現化される。
【図１】
2016530534.tif 000003
【図２】
2016530534.tif 000004
【図３】
2016530534.tif 000005
【図４】
2016530534.tif 000006
【図５】
2016530534.tif 000007
【図６】
2016530534.tif 000008
【図７】
2016530534.tif 000009
【図８】
2016530534.tif 000010
【図９】
2016530534.tif 000011
【国際調査報告】
2016530534.tif 000012
2016530534.tif 000013